(57)【要約】【課題】冷却ファンが送風する空気の風速を長期に亘って安定して測定する風速測定部を備えたプロジェクタを提供する。【解決手段】プロジェクタは、冷却対象に空気を送風する冷却ファンと、風速を測定するための空気が流入する測定部流入口６１１、および空気が流出する測定部流出口６１２を有し、冷却ファンから送風される空気の風速を測定する風速測定部６１と、測定部流入口６１１および測定部流出口６１２に対する異物の侵入を妨げる侵入抑制部７と、を備える。【選択図】図８
2009282269.tif 000002
【特許請求の範囲】
【請求項１】
光源から射出された光束を画像情報に応じて変調して画像光を形成し、前記画像光を投写するプロジェクタであって、
冷却対象に空気を送風する冷却ファンと、
風速を測定するための空気が流入する流入口、および空気が流出する流出口を有し、前記冷却ファンから送風される空気の風速を測定する風速測定部と、
前記流入口および前記流出口に対する異物の侵入を妨げる侵入抑制部と、
を備えることを特徴とするプロジェクタ。
【請求項２】
請求項１に記載のプロジェクタであって、
前記侵入抑制部は、前記流入口または前記流入口に連通する連通孔の周縁部、および前記流出口または前記流出口に連通する連通孔の周縁部を囲む粘着剤を備えることを特徴とするプロジェクタ。
【請求項３】
請求項１に記載のプロジェクタであって、
前記侵入抑制部は、前記風速測定部に近設される疑似部材を備え、
前記疑似部材には、前記流入口および前記流出口の内径と略同等の内径を有する開口孔が設けられていることを特徴とするプロジェクタ。
【請求項４】
請求項１に記載のプロジェクタであって、
前記侵入抑制部は、異物に対する忌避成分を有する忌避部材を備え、
前記忌避部材は、前記風速測定部に近設されていることを特徴とするプロジェクタ。
【請求項５】
請求項１に記載のプロジェクタであって、
前記侵入抑制部は、
異物に対する忌避成分を有する液状材料と、
前記液状材料を前記風速測定部に噴霧する噴霧装置と、
を備えることを特徴とするプロジェクタ。
【発明の詳細な説明】
【技術分野】
【０００１】
本発明は、画像光を投写するプロジェクタに関する。
【背景技術】
【０００２】
従来、光源から射出された光束を光変調装置にて画像情報に応じて変調して画像光を形成し、その画像光をスクリーン等に投写するプロジェクタが知られている。
プロジェクタには、光源の点灯に伴う光源自身や光変調装置等の内部部品の温度上昇を抑制するために、これらの冷却対象に空気を送風する冷却ファンが備えられている。この冷却ファンの中には、外気を取り込み、取り込んだ外気を冷却対象に送風する冷却ファンがある。
この冷却ファンが外気を取り込むために、プロジェクタの外装を構成する外装筐体には、外気と連通する吸気口が設けられている。そして、この吸気口には、外気に混在する塵埃等の侵入を抑制するために防塵フィルタが配置されている。この防塵フィルタは、プロジェクタが長期間使用されることによって、塵埃等が次第に積層され、徐々に外気を通過する能力が低下するため、交換可能に構成されている。
この防塵フィルタの目詰まりの監視や、冷却ファンの駆動電圧の制御のために風速測定部（風速センサ）を用いた技術が提案されている（例えば、特許文献１参照）。
【０００３】
特許文献１の技術は、風速測定部と制御部とを備えている。
風速測定部は、冷却ファンが送風する空気の風速を測定する。
制御部は、風速測定部の測定結果に基づいて、防塵フィルタ（フィルタ）の目詰まりを監視して防塵フィルタの交換を促すメッセージ表示の制御や、冷却ファンの駆動電圧の制御等を行う。
【０００４】
【特許文献１】特開２００７−３０４４８１号公報
【発明の開示】
【発明が解決しようとする課題】
【０００５】
しかしながら、特許文献１に記載の技術は、小型の節足動物等の異物が排気口等の開口部から外装筐体内に侵入した場合、その異物がさらに風速測定部に侵入する虞がある。風速測定部に異物が侵入して冷却ファンが送風する空気を遮ると、風速測定部は、風速を正確に測定することができなくなる。このため、フィルタが目詰まりしていない状態にもかかわらず、交換を促すメッセージを表示させたり、冷却ファンの駆動電圧を適正に制御できず、冷却対象が温度上昇して品質劣化する虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源から射出された光束を画像情報に応じて変調して画像光を形成し、前記画像光を投写するプロジェクタであって、冷却対象に空気を送風する冷却ファンと、風速を測定するための空気が流入する流入口、および空気が流出する流出口を有し、前記冷却ファンから送風される空気の風速を測定する風速測定部と、前記流入口および前記流出口に対する異物の侵入を妨げる侵入抑制部と、を備えることを特徴とする。
ここで異物とは、風速測定部の流入口（以下「測定部流入口」という）や流出口（以下「測定部流出口」という）を塞いだり、測定部流入口や測定部流出口から内部に侵入したりすることが可能な大きさの節足動物等の小動物のことをいう。
【０００８】
このプロジェクタによれば、侵入抑制部は、異物が測定部流入口および測定部流出口に侵入することを妨げるので、異物が測定部流入口や測定部流出口を塞いだり、測定部流入口から測定部流出口までの流路（以下「測定流路」という）に侵入することを抑制することができる。これによって、冷却ファンが送風する空気が遮られることが抑制されるので、風速測定部は、安定して風速を測定することが可能となる。したがって、プロジェクタは、風速測定部の測定結果に基づいて、適正に冷却対象に空気を送風するように対応することが可能となり、長寿命化が図れる。
【０００９】
［適用例２］上記適用例に係るプロジェクタにおいて、前記侵入抑制部は、前記流入口または前記流入口に連通する連通孔の周縁部、および前記流出口または前記流出口に連通する連通孔の周縁部を囲む粘着剤を備えることが好ましい。
【００１０】
このプロジェクタによれば、粘着剤が、風速測定部の空気が流入する入口、および空気が流出する出口の周縁部を囲むように配置されている。粘着剤は、その粘着力によって、異物の移動を妨げるので、測定部流入口および測定部流入口、つまり測定流路に異物が侵入することを抑制することが可能となる。また、粘着剤として、柔らかい材料を厚く形成した部材を用いることで、さらに効率良く異物の移動を妨げ、測定流路への侵入を抑制することが可能となる。
【００１１】
［適用例３］上記適用例に係るプロジェクタにおいて、前記侵入抑制部は、前記風速測定部に近設される疑似部材を備え、前記疑似部材には、前記流入口および前記流出口の内径と略同等の内径を有する開口孔が設けられていることが好ましい。
【００１２】
このプロジェクタによれば、風速測定部に近設される疑似部材に、測定部流入口および測定部流入口の内径と略同等の内径を有する開口孔が設けられている。これによって、異物は、測定部流入口や測定部流出口と同程度に開口孔に侵入すると考えられるので、疑似部材は、異物が測定流路に侵入する確率を低減させることが可能となる。
【００１３】
［適用例４］上記適用例に係るプロジェクタにおいて、前記侵入抑制部は、異物に対する忌避成分を有する忌避部材を備え、前記忌避部材は、前記風速測定部に近設されていることが好ましい。
【００１４】
このプロジェクタによれば、忌避部材が風速測定部に近設されているので、異物が風速測定部に近づくこと、すなわち測定流路に侵入することを抑制することが可能となる。
忌避部材としては、忌避成分を他の部材へ浸透させることや、他の部材に含有させて成型する等によって形成することが考えられる。
【００１５】
［適用例５］上記適用例に係るプロジェクタにおいて、前記侵入抑制部は、異物に対する忌避成分を有する液状材料と、前記液状材料を前記風速測定部に噴霧する噴霧装置と、を備えることが好ましい。
【００１６】
このプロジェクタによれば、噴霧装置が忌避成分を有する液状材料を風速測定部に噴霧するので、異物が風速測定部に近づくこと、すなわち測定流路に侵入することを抑制することが可能となる。また、忌避成分が揮発しても、噴霧装置によって、再び風速測定部に噴霧することができるので、長期間に亘って異物の侵入を抑制することが可能となる。
【発明を実施するための最良の形態】
【００１７】
（第１実施形態）
以下、第１実施形態に係るプロジェクタについて、図面を参照して説明する。
本実施形態のプロジェクタは、光源から射出された光束を画像信号に応じて変調して画像光を形成し、その画像光をスクリーン等に拡大投写するものであり、光源の点灯に伴う温度上昇を抑制するために、外装筐体内に外気を取り入れて本体を冷却することができるようになっている。
図１および図２は、本実施形態のプロジェクタの外観を示す図であり、図１は、右前方上側から見た斜視図、図２は、左前方上側から見た斜視図である。なお、以下では、説明の便宜上、図１における図面視において、右を「右」（＋Ｘ方向）、前を「前」（＋Ｙ方向）、上を「上」（＋Ｚ方向）として記載する。
【００１８】
図１および図２に示すように、プロジェクタ１は、本体が外装筐体２で囲まれた構成になっている。
外装筐体２は、合成樹脂製であり、上面、前面および背面を構成するアッパーケース２１と、下面を構成するロアーケース２２（図３参照）と、右側（＋Ｘ方向）の側面を構成する右サイドケース２３と、左側（−Ｘ方向）の側面を構成する左サイドケース２４とを備えており、これらは、互いにネジ等により固定されている。
【００１９】
アッパーケース２１の上面２１Ａの左後方には、後述する光学ユニットを構成する光源装置３１（図４参照）の交換用の開口部が形成されており、この開口部は、蓋状部材２５で閉塞されている。また、上面２１Ａの前方略中央部には、投写レンズ３６（図４参照）のフォーカス調整、およびズーム調整の操作を行うための開口部が形成されており、その開口は、開閉可能なカバー２６によって閉塞されている。さらに、上面２１Ａには、操作部２７が設けられている。操作部２７は、プロジェクタ１の各種設定を行うためのメニュー画像の表示／非表示を切り換えるメニューキー、入力ソースを切り換えるソース切換えキー等、各種指示を行うための複数のキー等を備えている。
【００２０】
アッパーケース２１の前面２１Ｂには、略円形状の開口部が形成されており、この開口部は、光透過部材２８で閉塞されている。投写レンズ３６は、この光透過部材２８の内側に配置されており、投写レンズ３６から射出された画像光は、この光透過部材２８を透過して外部に投写される。
【００２１】
右サイドケース２３には、略矩形の開口部（図示せず）が形成されており、この開口部は、後述する冷却ファンが外部から外装筐体２内部に空気を取り込むための吸気口である。吸気口には、図示しない防塵フィルタが配置され、外部の塵埃等が外装筐体２内部に侵入しないように構成されている。防塵フィルタは、複数の矩形状の孔が設けられたフィルタ枠２９によって右サイドケース２３に保持されており、フィルタ枠２９を着脱することによって、交換可能に構成されている。
【００２２】
図２に示すように、左サイドケース２４には、矩形状の孔が複数設けられており、この孔は、光源の点灯に伴って温まった外装筐体２内の空気を排出するための排気口である。
【００２３】
図３は、プロジェクタ１の内部構成を示す斜視図であり、アッパーケース２１を取り外した図である。
図３に示すように、プロジェクタ１は、外装筐体２の内部に制御部（図示せず）、光学ユニット３、制御部等の電子部品に電力を供給する電源ユニット４、光学部品等を冷却する冷却ユニット５、空気の風速を測定する風速測定装置６（図５参照）、および異物の侵入を妨げる侵入抑制部７（図５参照）等が配置されている。
【００２４】
制御部は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、画像の投写に関わる制御、冷却ファンの駆動電圧制御、風速測定装置６の測定結果に基づく制御等を行う。
【００２５】
光学ユニット３は、図３に示すように、外装筐体２の略中央部に配置され、制御部による制御の下、光源から射出された光束を光学的に処理し、画像情報に応じた画像光を形成して投写する。
図４は、光学ユニット３を模式的に示す図である。
図４に示すように、光学ユニット３は、光源装置３１、照明光学装置３２、色分離光学装置３３、リレー光学装置３４、電気光学装置３５、投写光学装置としての投写レンズ３６およびこれら各光学部品３１〜３６を所定位置に配置する光学部品用筐体３７を備える。
【００２６】
光源装置３１は、超高圧水銀ランプやメタルハライドランプ等からなる放電型の光源３１１およびリフレクタ３１２等を備える。そして、光源装置３１は、光源３１１から射出された光束をリフレクタ３１２によって射出方向を揃え、照明光学装置３２に向けて射出する。
【００２７】
照明光学装置３２は、第１レンズアレイ３２１、第２レンズアレイ３２２、偏光変換素子３２３、重畳レンズ３２４を備える。第１レンズアレイ３２１は、光軸Ｌ方向から見て略矩形の輪郭を有する小レンズがマトリクス状に配列された構成を有しており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２８】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
第１のダイクロイックミラー３３１は、Ｂ光を反射させると共に、Ｇ光およびＲ光を透過する。第１のダイクロイックミラー３３１で反射したＢ光は、反射ミラー３３３で反射され、Ｂ光用の液晶パネル３５２Ｂに入射する。第２のダイクロイックミラー３３２は、Ｇ光を反射させると共に、Ｒ光を透過する。そして、第１のダイクロイックミラー３３１を透過したＧ光とＲ光のうちＧ光は、第２のダイクロイックミラー３３２によって反射され、Ｇ光用の液晶パネル３５２Ｇに入射する。一方、Ｒ光は、第２のダイクロイックミラー３３２を透過し、リレー光学装置３４に入射する。
【００２９】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。
第２のダイクロイックミラー３３２を透過したＲ光は、入射側レンズ３４１によってリレーレンズ３４３近傍で収束し、反射ミラー３４４に向かって発散する。反射ミラー３４４に入射する光束の大きさは、入射側レンズ３４１に入射する光束の大きさに略等しくなるように設定されている。このように、Ｒ光にリレー光学装置３４が用いられているのは、Ｒ光の光路の長さが他の色光の光路の長さよりも長いため、光の発散等による光の利用効率の低下を防止するためである。なお、光学ユニット３は、リレー光学装置３４がＲ光を導く構成としているが、これに限らず、例えば、Ｂ光を導く構成としてもよい。
【００３０】
電気光学装置３５は、入射した光束を画像情報に応じて変調して画像光を形成するものである。この電気光学装置３５は、３つの光変調装置としての液晶パネル３５２Ｒ，３５２Ｇ，３５２Ｂと、各液晶パネル３５２の光路前段側に配置される入射側偏光板３５１と、各液晶パネル３５２の光路後段側に配置される射出側偏光板３５３と、色合成光学装置としてのクロスダイクロイックプリズム３５４とを備える。
【００３１】
入射側偏光板３５１は、色分離光学装置３３で分離された各光束のうち、偏光変換素子３２３で揃えられた偏光方向と略同一の偏光方向を有する偏光光のみ透過させ、その他の光束を吸収するものであり、透光性基板上に偏光膜が貼付されて構成されている。
液晶パネル３５２は、一対の透明なガラス基板に電気光学物質である液晶が密閉封入された構成を有し、制御部からの駆動信号に応じて、液晶の配向状態が制御され、入射側偏光板３５１から射出された偏光光束の偏光方向を変調する。
射出側偏光板３５３は、入射側偏光板３５１と略同様の機能を有し、液晶パネル３５２を介して射出された光束のうち、一定方向の偏光光を透過し、その他の光束を吸収する。
【００３２】
クロスダイクロイックプリズム３５４は、４つの直角プリズムを貼り合わせた平面視略正方形状をなし、直角プリズム同士を貼り合わせた界面には、２つの誘電体多層膜が形成されている。そして、クロスダイクロイックプリズム３５４は、射出側偏光板３５３から射出された各色光を取り込んで合成し、画像光を形成して投写レンズ３６に射出する。
【００３３】
投写レンズ３６は、複数のレンズを組み合わせた組レンズとして構成され、電気光学装置３５にて形成された画像光をスクリーン上に拡大投写する。
【００３４】
図３に戻って、電源ユニット４は、光学ユニット３の前方左側に配置されており、ＥＭＩ（ElectroMagnetic Interference）対策のため、電磁シールド材４１によって覆われている。電源ユニット４は、詳しい図示を省略するが、電源ブロックと光源駆動ブロックとを備え、制御部等の電子部品および光源３１１に電力を供給する。
【００３５】
冷却ユニット５は、外気を外装筐体２の内部に取り込んで、その空気を光学部品や電子部品等の発熱部品である冷却対象に送風して冷却し、温まった外装筐体２内の空気を外部に排出する。この冷却ユニット５は、第１冷却部５１、第２冷却部５２、第３冷却部５３、および排気ユニット５４とを備えて構成されている。
【００３６】
第１冷却部５１は、右サイドケース２３の内側に配置され、吸気口から取り込んだ外気を外装筐体２内部に取り込んで、液晶パネル３５２等の光学部品を冷却する。
第２冷却部５２は、投写レンズ３６と電源ユニット４との間に配置された軸流ファン５２１を有して構成され、外装筐体２内の空気を電源ユニット４に送風して、電源ユニット４を冷却する。
第３冷却部５３は、光学ユニット３の後方にシロッコファン５３１を有して構成され、外装筐体２内の空気を図示しないダクトを介して光源装置３１に送風し、光源３１１を冷却する。
排気ユニット５４は、左サイドケース２４の内側に配置され、排気ファンとしての軸流ファン５４１、排気ダクト５４２を有して構成されている。排気ユニット５４は、第１冷却部５１、第２冷却部５２および第３冷却部５３によって送風され、光学部品および電源ユニット４を冷却した空気を、排気口を介して外部に排気する。
【００３７】
ここで、第１冷却部５１の構成について詳細に説明する。
図３に示すように、第１冷却部５１は、右サイドケース２３の内側から光学ユニット３の下方に亘って設けられており、上部の一部は、第１ダクト５１１で構成されている。
図５、図６は、第１冷却部５１の一部を示す斜視図である。具体的に、図５は、第１ダクト５１１を取り外した状態を上方から見た斜視図であり、図６は、下方から見た斜視図である。
第１冷却部５１は、第１ダクト５１１に加えて、図５、図６に示すように、ベースダクト５１２、第２ダクト５１３、冷却ファンとしてのシロッコファン５１４，５１５を有して構成されている。
【００３８】
第１ダクト５１１は、図３に示すように、右サイドケース２３の内側に前方から後方に亘って吸気口を覆うように箱状に形成され、右側（＋Ｘ方向）は、右サイドケース２３の上端近傍まで延出し、左側（−Ｘ方向）は、光学ユニット３の右端下部近傍に位置するように形成されている。
【００３９】
ベースダクト５１２は、図５に示すように、外形が略矩形状をしており、第１ダクト５１１の下方に配置されている。ベースダクト５１２の右側（＋Ｘ方向）には、略円形の開口部５１２１，５１２２が形成されており、第１ダクト５１１が上方に取付けられることによって、吸気口と開口部５１２１，５１２２とが連通するように流路が形成される。
ベースダクト５１２の左側（−Ｘ方向）は、液晶パネル３５２Ｒ，３５２Ｇ，３５２Ｂの下方まで延出するように形成され、その略中央部には、液晶パネル３５２Ｒ，３５２Ｇ，３５２Ｂに向かって延出する延出部５１２３Ｒ，５１２３Ｇ，５１２３Ｂが設けられている。さらに、延出部５１２３Ｒ，５１２３Ｇ，５１２３Ｂには、液晶パネル３５２Ｒ，３５２Ｇ，３５２Ｂに対応する位置に開口部５１２４Ｒ，５１２４Ｇ，５１２４Ｂがそれぞれ形成されている。
【００４０】
シロッコファン５１４，５１５は、図５、図６に示すように、ベースダクト５１２の下方に配置され、吸入口５１４１，５１５１の位置がそれぞれ開口部５１２１，５１２２の位置に略一致し、吐出口がそれぞれベースダクト５１２の略中央部を向くように配置されている。そして、シロッコファン５１４，５１５は、吸気口を介して吸入口５１４１，５１５１から外気を取り込み、取り込んだ空気を吐出口から送風する。また、シロッコファン５１４，５１５は、制御部の指示に基づいて駆動電圧が変更され、送風する空気の風速を変える。
【００４１】
第２ダクト５１３は、図６に示すように、シロッコファン５１４，５１５の下部にそれぞれの吐出口を覆って配置され、ベースダクト５１２に取付けられることによって、シロッコファン５１４，５１５が送風する空気を開口部５１２４Ｒ，５１２４Ｇ，５１２４Ｂに導く流路を形成している。
【００４２】
図７は、第２ダクト５１３およびシロッコファン５１４，５１５を示す斜視図であり、上方から見た図である。
図７に示すように、第２ダクト５１３の略中央部には、左右方向（±Ｘ方向）に突出する仕切５１３１が形成されている。この仕切５１３１は、シロッコファン５１４から送風された空気を開口部５１２４Ｇ（図５参照）に導く流路５１Ａと、シロッコファン５１５から送風された空気を開口部５１２４Ｒ，５１２４Ｂ（図５参照）に導く流路５１Ｂとに分けている。
【００４３】
開口部５１２４Ｇから排出された空気は、液晶パネル３５２Ｇ、液晶パネル３５２Ｇの光路前段側に配置されている入射側偏光板３５１、および光路後段側に配置されている射出側偏光板３５３を冷却する。そして、開口部５１２４Ｒから排出された空気は、液晶パネル３５２Ｒ、液晶パネル３５２Ｒの光路前段側に配置されている入射側偏光板３５１、および光路後段側に配置されている射出側偏光板３５３を冷却する。同様に、開口部５１２４Ｂから排出された空気は、液晶パネル３５２Ｂ、液晶パネル３５２Ｂの光路前段側に配置されている入射側偏光板３５１、および光路後段側に配置されている射出側偏光板３５３を冷却する。
このように、第１冷却部５１は、シロッコファン５１４，５１５が吸気口から外気を取り込み、取り込んだ空気を冷却対象である液晶パネル３５２Ｒ，３５２Ｇ，３５２Ｂ等の光学部品に送風して冷却する。
【００４４】
風速測定装置６は、シロッコファン５１５から送風される空気の一部が流通し、流通する空気の風速を測定してその測定結果を制御部に伝達する。
風速測定装置６は、図５に示すように、延出部５１２３Ｂの左側（−Ｘ側）に設けられ、測定ダクト部６２、および風速測定部６１等を備える。
【００４５】
測定ダクト部６２は、シロッコファン５１５から送風される空気の一部が流通するように構成され、図５、図６に示すように、外形が直方体状に形成されている。そして、測定ダクト部６２は、上部を構成する上ダクト６２１と、下部を構成する下ダクト６２２とを有して構成されている。上ダクト６２１は、ベースダクト５１２に一体的に形成され、下ダクト６２２は、図７に示すように、第２ダクト５１３に一体的に形成されている。
【００４６】
図８は、風速測定装置６および第１冷却部５１の一部の断面を示す図であり、図５における風速測定装置６の先端から延出部５１２３Ｒまでの断面を前側（＋Ｙ方向）から見た図である。
図８に示すように、測定ダクト部６２には、流路５１Ｂと連通させる孔（空気導入口６２３）が設けられており、シロッコファン５１５から送風される空気の一部は、この空気導入口６２３から測定ダクト部６２内（流路６２Ａ）に流入する。測定ダクト部６２の先端側（−Ｘ方向）には、内部の空気が流出する孔（空気導出口６２４）が設けられている。
この流路６２Ａ内において、下ダクト６２２には、空気導入口６２３寄りに、空気の流通する方向に対して略直交する方向に延出する立壁６２２１が形成されており、上ダクト６２１には、立壁６２２１と空隙を有して立壁６２１１が形成されている。また、上ダクト６２１の上面６２１Ａには、立壁６２１１と空気導出口６２４との間に、流路６２Ａ内の一部の空気が流出する孔（連通孔６２１２）が設けられている。
【００４７】
風速測定部６１は、連通孔６２１２から流出する空気の風速を測定する。風速測定部６１は、図８に示すように、外形が略直方体をしており、風速を測定するための空気が流入する流入口（測定部流入口６１１）、および空気が流出する流出口（測定部流出口６１２）を有している。測定部流入口６１１および測定部流出口６１２は、互いに異なる面に設けられており、風速測定部６１は、測定部流出口６１２が連通孔６２１２と連通するように、上面６２１Ａに配置されている。
風速測定部６１は、測定部流入口６１１から流入した空気が、内部に備えられた検知部（図示せず）を流通することによってその風速を測定し、測定した風速値に応じた信号を出力する。そして、検知部を流通した空気は、測定部流出口６１２から流出する。
【００４８】
このように、風速測定部６１には、測定部流入口６１１から測定部流出口６１２までの測定流路に空気が流通する。そして、風速測定部６１は、測定ダクト部６２を流通して連通孔６２１２から流出する空気、つまりシロッコファン５１５から送風される空気の風速を測定する。なお、風速測定部６１としては、例えば、ヒータとサーモバイルによる検知部を用いて風速を測定するＭＥＭＳ風量センサ（オムロン社製）を採用できる。
そして、風速測定部６１から出力される信号は、図示しないケーブルを介して制御部に伝達される。
【００４９】
侵入抑制部７は、測定部流入口６１１および測定部流出口６１２に対する異物の侵入を妨げる機能を有し、図５、図７、図８に示すように、シート状の粘着部材７１，７２，７３を有して構成されている。
粘着部材７１，７２，７３は、不織布等の基材に粘着剤が塗布されて構成されている。
粘着部材７１は、図５に示すように、測定部流出口６１２の周縁部を囲むように、風速測定部６１の上面、および側面に貼り付けられている。また、粘着部材７１の表面に粘着剤が露出するように貼り付けられている。
粘着部材７２は、図７、図８に示すように、測定部流入口６１１に対向する下ダクト６２２の底面、具体的には、立壁６２２１近傍から空気導出口６２４近傍までの底面に貼り付けられている。また、粘着部材７２の表面に粘着剤が露出するように貼り付けられている。
粘着部材７３は、図８に示すように、連通孔６２１２の周縁部を囲むように、上ダクト６２１の内面、具体的には、立壁６２１１近傍から空気導出口６２４近傍までの内面に貼り付けられている。また、粘着部材７３の表面に粘着剤が露出するように貼り付けられている。
【００５０】
粘着部材７１，７２，７３として、粘着剤が柔らかく、厚く形成された部材を使用することによって、非常に軽い異物等を捕獲し、その移動を妨げることができる。例えば、飛翔害虫誘引捕獲粘着シート（出光興産社製）を採用できる。
このように、侵入抑制部７は、粘着部材７１，７２，７３の粘着力によって、異物が測定部流入口６１１および測定部流出口６１２に侵入することを妨げる。
【００５１】
次に、風速測定装置６内の空気の流れについて説明する。
シロッコファン５１５から送風された空気は、図８に示すように、開口部５１２４Ｒに向かう流れＦ１、開口部５１２４Ｂに向かう流れＦ２、および空気導入口６２３に向かう流れＦ３に分かれる。
前述したように、流れＦ１の空気は、液晶パネル３５２Ｒ等の光学部品を冷却し、流れＦ２の空気は、液晶パネル３５２Ｂ等の光学部品を冷却する。
【００５２】
流れＦ３の空気は、立壁６２１１，６２２１が抵抗となって風速測定部６１が測定可能な風速に低下して空気導出口６２４側に流通し（流れＦ４）、一部が連通孔６２１２を通って、測定部流入口６１１から風速測定部６１に流入し、他は、そのまま空気導出口６２４から流出する（流れＦ５）。流路６２Ａ内を流通する空気の風速は、シロッコファン５１５から送風される空気の風速、すなわち流路５１Ｂを流通する空気の風速に応じて変わるので、風速測定部６１は、その風速に応じた信号を出力する。
風速測定部６１に流通した空気は、測定部流出口６１２から流出する（流れＦ６）。
【００５３】
以上説明したように、本実施形態のプロジェクタ１によれば、以下の効果を得ることができる。
（１）本実施形態のプロジェクタ１によれば、粘着部材７１，７２，７３が、連通孔６２１２および測定部流出口６１２の周縁部を囲んでいるので、測定部流入口６１１および測定部流出口６１２に対する異物の侵入を妨げることが可能となる。これによって、風速測定部６１は、異物によって測定流路が遮られることが抑制され、シロッコファン５１５が送風する風速を長期に亘って安定して測定することが可能となる。
したがって、プロジェクタ１は、風速測定部６１の測定結果に基づいて、液晶パネル３５２Ｒ，３５２Ｂ等の光学部品に、長期に亘って適正に空気を送風するように対応することができる。例えば、吸気口に配置された防塵フィルタの目詰まりを観察して防塵フィルタの交換を促したり、シロッコファン５１５の駆動電圧を適正に制御したりすることが可能となる。このように、プロジェクタ１は、風速測定部６１の測定結果に基づいて、適正に冷却対象を冷却するように対応することが可能となり、長寿命化が図れる。
【００５４】
（２）本実施形態のプロジェクタ１によれば、粘着部材７２が測定部流入口６１１に対向する下ダクト６２２の底面にも貼り付けられているので、飛翔する虫等に対しても測定流路への侵入をさらに抑制することが可能となる。
【００５５】
（第２実施形態）
次に、第２実施形態に係るプロジェクタ１について、図面を参照して説明する。
本実施形態のプロジェクタ１は、第１実施形態の侵入抑制部７と構成の異なる侵入抑制部７０を備えている。また、上ダクト６２１は、第１実施形態に比べて平面が広く形成されている。
図９は、侵入抑制部７０と風速測定部６１を示す斜視図である。
図９に示すように、侵入抑制部７０は、外形が風速測定部６１と略同形状の略直方体をした複数の疑似部材７０１を有して構成されている。
【００５６】
疑似部材７０１は、風速測定部６１に近設されており、具体的には、風速測定部６１の前方（＋Ｙ方向）、後方（−Ｙ方向）および上ダクト６２１の下方（図示せず）に配置されている。
疑似部材７０１は、合成樹脂製であり、それぞれの疑似部材７０１には、一方の面から他方の面まで貫通する開口孔７０１１が設けられている。開口孔７０１１は、一方の面および他方の面の開口部がそれぞれ測定部流入口６１１（図８参照）および測定部流出口６１２と略同等の形状に形成されている。
【００５７】
以上説明したように、本実施形態のプロジェクタ１によれば、以下の効果を得ることができる。
本実施形態のプロジェクタ１によれば、開口孔７０１１を有する疑似部材７０１が風速測定部６１に近設され、その開口孔７０１１は、測定部流入口６１１および測定部流出口６１２と略同等の形状に形成されている。これによって、異物は、測定部流入口６１１や測定部流出口６１２と同程度に開口孔７０１１に侵入すると考えられるので、疑似部材７０１は、異物が測定流路に侵入する確率を低減させることが可能となる。よって、風速測定部６１は、シロッコファン５１５が送風する風速を長期間、高い確率で安定して測定することが可能となる。
【００５８】
（第３実施形態）
次に、第３実施形態に係るプロジェクタについて、図面を参照して説明する。
本実施形態のプロジェクタ１は、第１実施形態の侵入抑制部７と構成の異なる侵入抑制部７００を備えている。
図１０は、侵入抑制部７００と風速測定部６１を示す斜視図である。
図１０に示すように、侵入抑制部７００は、風速測定部６１に近設され、噴霧装置７１０と、異物に対する忌避成分を有する液状材料とを有して構成されている。
【００５９】
噴霧装置７１０は、スプレー７１１、押圧部７１２、モーター７１３を有して構成されている。
スプレー７１１は、液状材料を収容する円柱状の容器部と液状材料を噴霧するためのノズル部７１１１とを有している。スプレー７１１は、ノズル部７１１１が上側（＋Ｚ方向）に位置し、風速測定部６１に向かって液状材料が噴霧される姿勢になるように配置されている。
【００６０】
押圧部７１２は、外形が略直方体に形成され、ノズル部７１１１の上方に配置されている。そして、押圧部７１２は、一面にラックが形成されており、図示しない部材によって支持され、モーター７１３の駆動によって、上下方向（±Ｚ方向）に移動できるように構成されている。そして、押圧部７１２は、下方に移動した際には、ノズル部７１１１を押圧して液状材料を噴霧させ、上方に移動した際には、ノズル部７１１１への押圧を解除する。
【００６１】
モーター７１３は、先端にピニオン７１３１が設けられており、図示しない部材によって支持され、ピニオン７１３１が押圧部７１２のラックと噛合して配置されている。また、モーター７１３は、図示しないケーブルによって制御部に接続されている。モーター７１３は、制御部の指示によって定期的にピニオン７１３１を回転させ、押圧部７１２を上下方向に移動させる。
【００６２】
風速測定部６１に向かって定期的に噴霧される液状材料は、風速測定部６１および測定ダクト部６２の先端周辺に塗布される。具体的には、液状材料は、空気導出口６２４を介して測定部流入口６１１（図８参照）、および測定部流出口６１２の周辺に塗布される。
【００６３】
以上説明したように、本実施形態のプロジェクタ１によれば、以下の効果を得ることができる。
本実施形態のプロジェクタ１によれば、液状材料が測定部流入口６１１および測定部流出口６１２の周辺に塗布されるので、異物が測定流路に侵入することを抑制することが可能となる。また、忌避成分が揮発しても、噴霧装置７１０によって、再び風速測定部６１に噴霧することができるので、長期間に亘って異物の侵入を抑制することが可能となる。これによって、風速測定部６１は、シロッコファン５１５が送風する風速をさらに長期に亘って安定して測定することが可能となる。
【００６４】
（変形例）
なお、前記実施形態は、以下のように変更してもよい。
【００６５】
前記実施形態の風速測定装置６は、液晶パネル３５２Ｒ，３５２Ｂ等の光学部品に送風される空気の流路５１Ｂに連通するように構成されているが、他の光学部品や電子部品に送風される空気の流路に連通するように構成してもよい。
また、風速測定部６１を流路５１Ａや流路５１Ｂの内部に配置するように構成してもよい。
【００６６】
前記第１実施形態の粘着部材７１，７２，７３は、基材を有しない構成でもよい。また、測定部流出口６１２および連通孔６２１２の周縁部に直接粘着剤を塗布するように構成してもよい。
【００６７】
前記第２実施形態の疑似部材７０１は、外形が風速測定部６１と略同形状に形成され、複数設けられているが、風速測定部６１を囲むように一体的に構成し、開口孔７０１１を複数設けるように形成してもよい。
また、開口孔７０１１は、貫通孔でなくともよい。
【００６８】
前記第３実施形態では、液状材料を定期的に噴霧するように構成しているが、操作部２７等の操作によって噴霧させる構成としてもよい。
【００６９】
侵入抑制部として、忌避成分を有する忌避部材を、風速測定部６１に近設するように構成してもよい。例えば、測定ダクト部６２を忌避部材で形成してもよい。また、忌避成分を有する液状材料を繊維状部材に浸透させ、その部材を風速測定部６１に近設するように構成してもよい。
【００７０】
前記実施形態のプロジェクタ１は、光変調装置として透過型の液晶パネル３５２を用いているが、反射型の液晶パネルを利用したものであってもよい。また、光変調装置は、マイクロミラーアレイを用いたデバイス等を使用したものであってもよい。
【００７１】
前記実施形態のプロジェクタ１は、光源３１１として放電型の光源によって構成されているが、ＬＥＤ光源等の固体光源や、その他の光源を用いることもできる。
【図面の簡単な説明】
【００７２】
【図１】本実施形態のプロジェクタを右前方上側から見た斜視図。
【図２】本実施形態のプロジェクタを左前方上側から見た斜視図。
【図３】本実施形態のプロジェクタの内部構成を示す斜視図。
【図４】本実施形態の光学ユニットを模式的に示す図。
【図５】第１実施形態の第１冷却部を上方から見た斜視図。
【図６】第１実施形態の第１冷却部を下方から見た斜視図。
【図７】第１実施形態の第２ダクトおよびシロッコファンを示す斜視図。
【図８】第１実施形態の風速測定装置および第１冷却部の一部の断面を示す図。
【図９】第２実施形態の侵入抑制部と風速測定部を示す斜視図。
【図１０】第３実施形態の侵入抑制部と風速測定部を示す斜視図。
【符号の説明】
【００７３】
１…プロジェクタ、２…外装筐体、３…光学ユニット、４…電源ユニット、５…冷却ユニット、６…風速測定装置、７，７０，７００…侵入抑制部、３１…光源装置、３５…電気光学装置、３６…投写レンズ、５１…第１冷却部、５２…第２冷却部、５３…第３冷却部、５４…排気ユニット、６１…風速測定部、６２…測定ダクト部、７１，７２，７３…粘着部材、３１１…光源、３５１…入射側偏光板、３５２，３５２Ｒ，３５２Ｇ，３５２Ｂ…液晶パネル、３５３…射出側偏光板、３５４…クロスダイクロイックプリズム、５１４，５１５…シロッコファン、６１１…測定部流入口、６１２…測定部流出口、７０１…疑似部材、７１０…噴霧装置、７１１…スプレー、７１２…押圧部、７１３…モーター、６２１２…連通孔、７０１１…開口孔。
【図１】
2009282269.tif 000003
【図２】
2009282269.tif 000004
【図３】
2009282269.tif 000005
【図４】
2009282269.tif 000006
【図５】
2009282269.tif 000007
【図６】
2009282269.tif 000008
【図７】
2009282269.tif 000009
【図８】
2009282269.tif 000010
【図９】
2009282269.tif 000011
【図１０】
2009282269.tif 000012